(57)【要約】      （修正有）【課題】携帯型情報端末機器の外観構造に影響を受けることなく、誰でも簡単且つ容易に取付け可能とするシンプルでコンパクトな構造で、使い勝手がよく、丈夫で取付け後の自由度が向上する携帯型情報端末機器用ホルダーを提供する。【解決手段】保護ケース３００の内面部とスマートフォン２００の背面部の間に着脱自在に挟持固定される取付け部材本体１２０と、取付け部材本体１２０から保護ケース３００の貫通孔部３２０を介して外方へ指向するよう延設された延設部と、延設部に設けられたストラップ取付け部１６０とを具備する。【選択図】図３
0003229177.tif 000002
【実用新案登録請求の範囲】
【請求項１】
貫通孔部が設けられた保護ケース体にて背面部側を着脱自在に被覆された携帯型情報端末機器に設けられるものであって、
上記貫通孔部の近傍にて上記保護ケース体と上記携帯型情報端末機器の背面部の間に着脱自在に挟持固定される取付け部材本体と、
この取付け部材本体から上記貫通孔部を介して外方へ指向するよう延設された延設部と、
この延設部に設けられたストラップ取付け部とからなることを特徴とする携帯型情報端末機器用ホルダー。
【請求項２】
上記貫通孔部は、上記携帯型情報端末機器に設けられた接続端子部または出力部の近傍に位置するよう設けられたことを特徴とする請求項１記載の携帯型情報端末機器用ホルダー。
【請求項３】
上記ストラップ取付け部は、上記延設部の他端部に設けられたことを特徴とする請求項１または請求項２記載の携帯型情報端末機器用ホルダー。
【請求項４】
上記ストラップ取付け部は、上記延設部に穿設されてなることを特徴とする請求項１、請求項２または請求項３のいずれか１項に記載の携帯型情報端末機器用ホルダー。
【請求項５】
上記延設部は、上記取付け部材本体に対し傾斜するよう延設されることを特徴とする請求項１、請求項２、請求項３または請求項４のいずれか１項に記載の携帯型情報端末機器用ホルダー。
【考案の詳細な説明】
【技術分野】
【０００１】
本考案は、スマートフォンや小型のタブレット型情報端末機器のような携帯型情報端末機器に取付けられる提げ紐、所謂ストラップを取付けるためのホルダーに関し、特に保護ケースや保護カバー等に収納された携帯型情報端末機器のための携帯型情報端末機器用ホルダーに関する。
【背景技術】
【０００２】
従来、スマートフォンのような携帯型情報端末機器を携帯する際やこれを取扱う際、保有者自らが種々のストラップや手帳タイプの専用カバー等を装着することにより機器の保護、利便性の向上或いは見栄えの良さを図ってきている。特に、ストラップは小型軽量で自由度が高く使い勝手もよく、しかも安価で幅広く普及しているものである。
【０００３】
スマートフォンにストラップを取付けるに当っては、スマートフォンそのものにストラップ取付け用孔部が設けられている場合は、その孔部を利用して取付ければよいものである。他方、スマートフォンそのものにはストラップ取付け用孔部が設けられていない場合は、例えばスマートフォンに装着される保護ケース或いは専用カバーに設けられたストラップ取付け用孔部等を利用して取付けるのが一般的である。
【０００４】
下記特許文献１には、ハウジング本体に接続端子、ストラップ及びロック機構を備えるコネクタストラップが開示されている。このものにあっては、接続端子を携帯通信端末に接続し、ロック機構で接続端子の外部接続端子に対する取外しを不能／可能とするよう構成されるものである。
【０００５】
また、下記特許文献２には、ストラップを取付ける部位がない携帯型情報端末機器のための携帯型情報末機器用ストラップが開示されている。このものにあっては、携帯型情報端末機器本体外面にある複数の螺子を有する機器に於いて、複数の螺子を利用し、ストラップ紐を結う固定用具を携帯型情報端末機器本体外面に取付け、固定用具を含めて携帯型情報端末機器用ストラップとすることにより落下等の事故防止を図るようにしたものである。
【０００６】
さらに、下記特許文献３には、携帯型電子機器のコネクタにストラップ類を接続するホルダー装置を必要最小限度の部品点数によって構成した携帯型電子機器用ストラップホルダーが開示されている。このものにあっては、ストラップ等の保持手段を付属していない携帯型電子機器に、ストラップ類による保持機能を備えさせることを可能としたものである。
【０００７】
さらに、下記特許文献４には、携帯ストラップを取付ける紐取付け孔部を有さない携帯品と携帯品のケースの組合せであっても、携帯ストラップの取付けを可能とする携帯品のケースへの携帯ストラップの取付け方法が開示されている。このものにあっては、ストッパーを部材通し部に外側から内側に通し、ディスプレイ用開口部の外に出した状態にしてケース本体に携帯品を収納し、この収納によって紐部材をケース本体の内壁と携帯品との間に位置させてストッパーをケース本体の外に位置させた状態にし、紐部材が物品側に引っ張られてもストッパーがケース本体と携帯品の間に入れず止められて、ストッパーが抜け外れできない形態に取り付けられるよう構成したものである。
【先行技術文献】
【特許文献】
【０００８】
【特許文献１】実用新案登録第３１７５６７５号公報
【特許文献２】実用新案登録第３１８００７９号公報
【特許文献３】再公表特許２０１４−４１６６２号公報
【特許文献４】特開２０１４−１１２８１４号公報
【考案の開示】
【考案が解決しようとする課題】
【０００９】
さて、近時はストラップ取付け用孔部が設けられてないスマートフォンが多々普及してきている。このため、ストラップを利用したい場合、ストラップ取付け用孔部等が設けられた保護ケースや専用カバーを装着等して対処する必要があった。
【００１０】
特許文献１に開示されたものは、ストラップ取付け用孔部が設けられてないスマートフォンに適するが、接続端子にロック機構を備えたコネクタストラップであるので、強固な構造が要求されるものである。また、接続端子に想定外の負荷がかかり、スマートフォン側の接続端子が損傷する虞がある。
【００１１】
特許文献２に開示されたものは、携帯型情報端末機器の外面に螺子を有することを前提にストラップの取付けを可能としたものであり、ストラップの取付け対象機器が限られるものである。加えて、螺子及びその周辺部位には集中的に想定外の負荷がかかり損傷する虞もある。また、近時の携帯型情報端末機器の外面には螺子が使用されてない趨勢にあり、特許文献２に開示されたものでは、対応が極めて難しいものである。
【００１２】
特許文献３に開示されたものは、構造的に複雑であり精巧さ及び強度を要求されるものである。しかも、携帯型電子機器のコネクタに想定外の負荷がかかり損傷する虞もある。
【００１３】
特許文献４に開示されたものは、シンプルな構造ではあるが取付けられたストラップの強度及び耐久性の面に於いて難点がある。即ち、ストッパーに想定外の負荷がかかると紐部材が損傷したりして、携帯ストラップとして機能しなくなる虞がある。
【００１４】
本考案は上記事情を考慮してなされたもので、上述した不具合を解消し、携帯型情報端末機器の外観構造に影響を及ぼしたり負荷をかけることなく、誰でも簡単且つ容易に取付け可能とする丈夫な携帯型情報端末機器用ホルダーを提供することを目的とする。
また、本考案は、シンプルでコンパクトな構造の携帯型情報端末機器用ホルダーを提供することを目的とする。
さらに、本考案は、使い勝手がよく、取付け後の自由度が向上する携帯型情報端末機器用ホルダーを提供することを目的とする。
【課題を解決するための手段】
【００１５】
本考案は、上記目的を達成するために以下の通りの構成とすることを特徴とする。
【００１６】
（１）  貫通孔部が設けられた保護ケース体にて背面部側を着脱自在に被覆された携帯型情報端末機器に設けられるものであって、上記貫通孔部の近傍にて上記保護ケース体と上記携帯型情報端末機器の背面部の間に着脱自在に挟持固定される取付け部材本体と、この取付け部材本体から上記貫通孔部を介して外方へ指向するよう延設された延設部と、この延設部に設けられたストラップ取付け部とからなるよう構成した。
【００１７】
（２）  上記（１）の構成にあって、上記貫通孔部は、上記携帯型情報端末機器に設けられた接続端子部または出力部の近傍に位置するよう設けられた構成とした。
【００１８】
（３）  上記（１）または（２）の構成にあって、上記ストラップ取付け部は、上記延設部の他端部に設けられた構成とした。
【００１９】
（４）  上記（１）、（２）または（３）の構成にあって、上記ストラップ取付け部は、上記延設部に穿設されてなるよう構成した。
【００２０】
（５）  上記（１）、（２）、（３）または（４）の構成にあって、上記延設部は、上記取付け部材本体に対し傾斜するよう延設されてなるよう構成した。
【００２１】
（６）  平面状の取付け部材本体と、この取付け部材本体に延設された延設部と、この延設部に設けられたストラップ取付け部とからなる携帯型情報端末機器用ホルダーに於いて、
上記延設部を上記携帯型情報端末機器の背面部側を被覆する保護ケース体に設けられた貫通孔部内に位置させ、上記取付け部材本体を上記保護ケース体の内面部側に載置し、上記取付け部材本体を上記携帯型情報端末機器の背面部とで挟持固定するよう上記保護ケース体を当該携帯型情報端末機器の背面部側に被覆するよう取付ける構成とした。
【００２２】
上記構成によれば、携帯型情報端末機器の外観構造に影響を及ぼしたり負荷をかけることなく、誰でも簡単且つ容易にストラップを取付け可能となるものである。
【００２３】
また、上記構成によれば、シンプルでコンパクトな構造の丈夫な携帯型情報端末機器用ホルダーを提供でき、実用的且つ経済的に優れた効果を奏するものである。
【００２４】
さらに、上記構成によれば、使い勝手がよく、ストラップ取付けに際しての自由度の向上を図れる携帯型情報端末機器用ホルダーを提供できるものである。
【考案の効果】
【００２５】
本考案によれば、携帯型情報端末機器の外観構造に影響を及ぼしたり負荷をかけることなく、誰でも簡単且つ容易にストラップを取付けが可能となるものである。
また、本考案によれば、シンプルでコンパクトな構造で丈夫且つ使い勝手のよい携帯型情報端末機器用ホルダーを提供でき、ストラップ取付けに際しての自由度の向上を図れるものである。
【図面の簡単な説明】
【００２６】
【図１】本考案の第１の実施形態に係わる携帯型情報端末機器用ホルダーの外観を示す平面図である。
【図２】同実施形態に係わり、背面部に保護ケース体を有する携帯型情報端末機器に携帯型情報端末機器用ホルダーを装着した状態を側面から模式的に示す図である。
【図３】同実施形態に係わり、背面部に保護ケース体を有する携帯型情報端末機器に携帯型情報端末機器用ホルダーを装着した状態を底面から模式的に示す図である。
【図４】同実施形態に係わり、背面部に保護ケース体を有する携帯型情報端末機器に携帯型情報端末機器用ホルダーを装着した状態を正面から模式的に示す図である。
【図５】同実施形態の変形例に係わり、携帯型情報端末機器用ホルダーの外観を示す平面図である。
【図６】同変形例に係わり、粘着テープ片の側面からの構造を模式的に示す図である。
【図７】本考案の第２の実施形態に係わる携帯型情報端末機器用ホルダーの外観を示す平面図である。
【図８】同実施形態に係わり、取付け部材本体に対して延設部が傾斜状態で延設されている様子を側面から模式的に示す図である。
【図９】同実施形態に係わり、背面部に保護ケース体を有する携帯型情報端末機器に携帯型情報端末機器用ホルダーを装着した状態を側面から模式的に示す図である。
【図１０】同実施形態に係わり、背面部に保護ケース体を有する携帯型情報端末機器に携帯型情報端末機器用ホルダーを装着した状態を底面から模式的に示す図である。
【図１１】同実施形態に係わり、背面部に保護ケース体を有する携帯型情報端末機器に携帯型情報端末機器用ホルダーを装着した状態を正面から模式的に示す図である。
【図１２】本考案の第３の実施形態に係わる携帯型情報端末機器用ホルダーの外観を示す平面図である。
【図１３】同実施形態に係わり、背面部に保護ケース体を有する携帯型情報端末機器に携帯型情報端末機器用ホルダーを装着した状態を側面から模式的に示す図である。
【図１４】同実施形態に係わり、背面部に保護ケース体を有する携帯型情報端末機器に携帯型情報端末機器用ホルダーを装着した状態を底面から模式的に示す図である。
【図１５】同実施形態に係わり、背面部に保護ケース体を有する携帯型情報端末機器に携帯型情報端末機器用ホルダーを装着した状態を正面から模式的に示す図である。
【考案を実施するための形態】
【００２７】
以下本考案の実施形態につき、図面を参照して説明する。
【００２８】
（第１の実施形態）
第１の実施形態に係わる携帯型情報端末機器用ホルダー（以下「ホルダー」と称す）１００は、携帯型情報端末機器たるスマートフォン２００の背面部２００ａ側とスマートフォン用の保護ケース（保護ケース体）３００の内面部３００ａ側に着脱自在となるよう位置させて挟持状態に保持されることにより用いるものである。
【００２９】
ここで、スマートフォン２００には、その下端部２００ｂの中央部位に外部ケーブルを着脱自在に接続するコネクタ部（接続端子部）２２０が設けられている。そして、コネクタ部２２０の両側には、スピーカ音を出力するためのスピーカ出力部（出力部）２４０，２４０が設けられている。
【００３０】
保護ケース３００は、例えば透明または着色された軟性のシリコン素材で形成されており、一面部が開放された中空の長方体形状を呈し、スマートフォン２００の背面部２００ａ全体を密着状態にて被覆するとともに、スマートフォン２００の外縁部全体を密着状態で包み込むようにしてスマートフォン２００に装着されるものである。また、保護ケース３００は、その下端部３００ｂの中央部位に貫通孔部３２０を形成しており、保護ケース３００のスマートフォン２００への装着時、コネクタ部２２０が貫通孔部３２０の内側に位置することになる。そして、貫通孔部３２０の両側には、スピーカ音用貫通孔部３４０，３４０が設けられており、保護ケース３００のスマートフォン２００への装着時、スピーカ出力部２４０，２４０はスピーカ音用貫通孔部３４０，３４０の内側に位置することになる。
【００３１】
而してホルダー１００は、例えば角丸四角形状の取付け部材本体１２０、取付け部材本体１２０の一縁部１２０ａの中央部位にて外方へ指向するよう一体形成により延設された延設部１４０及び延設部１４０の他端部１４０ａにて回動自在となるよう設けられたストラップ取付け部１６０とから構成されるものである。ここで、本実施形態では、一体的に形成された取付け部材本体１２０及び延設部１４０として、例えば厚さ０．３ｍｍのＳＵＳ３０４と称される板状のステンレス素材を用いているが、これに限定されることなく、他の種類の金属や合成樹脂を用いてもよい。また、厚さも適宜変更可能なことは勿論である。
なお、本実施形態では延設部１４０を一体形成にて取り付け部材本体１２０に延設しているが、一体形成でなくとも、延設部１４０が取り付け部材本体１２０から外方へ指向するように設けられる態様であればよく、これに限定されることはない。
【００３２】
さて、取付け部材本体１２０は、その大きさはスマートフォン２００や保護ケース３００の横幅の寸法を考慮する必要がある。本実施形態では、長辺（Ｌ）が２０ｍｍ〜９３ｍｍ、短辺（Ｓ）が１０ｍｍ〜２０ｍｍにて形成されている。現行の標準的なスマートフォンの寸法を考慮すると、長辺（Ｌ）を５３ｍｍ、短辺（Ｓ）を１４ｍｍに形成することが好ましいが、これに限定されることはない。
なお、一般にスマートフォン２００に設けられる例えばコネクタ部２２０の横幅（ＣＬ）は、２０ｍｍ超のものは殆ど存在しない。従って、実用的な取扱いを考慮し、取付け部材本体１２０の長辺（Ｌ）は、少なくとも１．５×２０ｍｍ程度はあることが望ましいが、これに限定されることはない。
【００３３】
延設部１４０は、例えば横方向（Ｗ）が５ｍｍ、縦方向（Ｈ）が８ｍｍの矩形状を呈している。但し、これに限定されることはない。
また、延設部１４０の他端部１４０ａには、中空円柱状のストラップ取付け部用装着部１４０ｂが一体形成されている。
【００３４】
ストラップ取付け部１６０は、例えばＤ型リング形状を呈しており、その断面形状は円形となるようステンレス素材にて形成されている。ここで、ストラップ取付け部１６０の断面の直径（Ｄ１）は、ストラップ取付け部用装着部１４０ｂの内径（Ｄ２）より小さくなるよう、即ちＤ１＜Ｄ２となるよう形成されている。これにより、ストラップ取付け部１６０の直線構造を呈す部位１６０ａがストラップ取付け部用装着部１４０ｂの内側にて回動自在に存するよう、ストラップ取付け部１６０はストラップ取付け部用装着部１４０ｂに取付けられる。
なお、ストラップ取付け部１６０の形状は、Ｄ型リング形状に限らず他の形状で良いことは勿論である。また、素材もステンレスに限らず他のものであっても良い。
【００３５】
上記構成につき、その作用を以下に説明する。
【００３６】
ホルダー１００をスマートフォン２００に取付けるには、先ず、延設部１４０をスマートフォン２００の背面部２００ａ側を被覆する保護ケース３００の貫通孔部３２０内に存するよう位置させる。
【００３７】
次に、取付け部材本体１２０の一方の面を保護ケース３００の内面部３００ａ側に載置する。この後、取付け部材本体１２０の他方の面がスマートフォン２００の背面部２００ａに密着するよう、保護ケース３００をスマートフォン２００の外縁部全体を密着状態で包み込むよう装着する。
【００３８】
すると、ホルダー１００は、延設部１４０が貫通孔部３２０を介して外方へ指向するとともに、取付け部材本体１２０は保護ケース３００の内面部３００ａとスマートフォン２００の背面部２００ａとで挟持され、密着固定状態にて保持される。而して、ホルダー１００の取付けが完了する。
【００３９】
斯様にして取付けられたホルダー１００は、ストラップ取付け部１６０に好みのストラップ４００は勿論、キーホルダーやアクセサリー或いは提げ紐を付けることができ、スマートフォン２００全体の見栄えや視認性の向上が図れるものである。ここで、取付け部材本体１２０の下端部１２０ａは保護ケース３００の貫通孔部３２０の近傍で支持された状態にあるので、キーホルダー等の重みでホルダー１００がスマートフォン２００及び保護ケース３００から抜け落ちることを防止できる。
【００４０】
また、ストラップ取付け部１６０を支点にスマートフォン２００を吊るすような状態にしたとしても、上述同様、取付け部材本体１２０の下端部１２０ａが保護ケース３００の貫通孔部３２０の近傍で支持された状態にあるので、吊るされることによる重力の影響等でホルダー１００がスマートフォン２００及び保護ケース３００から抜け落ちることを防止できる。
【００４１】
上記実施形態によれば、携帯型情報端末機器の外観構造に影響を及ぼしたり負荷をかけることなく、シンプル且つコンパクトな構造で、しかも丈夫で耐久性にも優れ、誰でも簡単且つ容易に取付けも容易なホルダー１００を提供でき、実用的で経済的に優れた効果を奏するものである。
【００４２】
また、上記実施形態によれば、スマートフォン２００への取付け後、ストラップ取付け部１６０を種々の目的で利用できるので、使い勝手がよく、ストラップ等の取付けに際しての自由度が向上するホルダー１００を提供できるものである。
【００４３】
さて、上記実施形態の変形例を、図を参照して、特に図５及び図６を参照して以下に述べる。なお、上記実施形態と同一部分及び／または同一機能については、同一番号・記号を付して説明は省略する。
【００４４】
この変形例では、取付け部材本体１２０の一方の面に例えば矩形状の粘着テープ片１７０を設けたことに特徴を有する。即ち、基材１７２、基材１７２の上面部に設けられた粘着剤層１７４及び粘着剤層１７４の上面部に設けられた剥離紙１７６から構成される粘着テープ片１７０は、取付け部材本体１２０の一方の面に接着されている。この接着方法としては、例えば基材１７２の下面部（粘着剤層１７４が設けられていない面）に別の粘着剤層（図示せず）を設け、当該粘着剤層を介して基材１７２と取り付け部材本体１２０の一方の面とを接着する方法が挙げられる。
粘着テープ片１７０の粘着力は一般的な貼り付けである４Ｎ／１０ｍｍにしてあるが、これに限らず他の粘着力のものでも構わない。
【００４５】
ホルダー１００をスマートフォン２００に取付けるには、先ず、延設部１４０をスマートフォン２００の背面部２００ａ側を被覆する保護ケース３００の貫通孔部３２０内に存するよう位置させる。
【００４６】
次に、剥離紙１７６を粘着剤層１７４から剥がし、取付け部材本体１２０の粘着テープ片１７０を設けた面を保護ケース３００の内面部３００ａ側に載置させて、これを接着させる。この後、取付け部材本体１２０の他方の面がスマートフォン２００の背面部２００ａに密着するよう、保護ケース３００をスマートフォン２００の外縁部全体を密着状態で包み込むよう装着する。
【００４７】
すると、ホルダー１００は、延設部１４０が貫通孔部３２０を介して外方へ指向するとともに、取付け部材本体１２０は保護ケース３００の内面部３００ａとスマートフォン２００の背面部２００ａとで挟持され、密着固定状態にて保持される。而して、ホルダー１００の取付けが完了する。
【００４８】
この変形例によれば、ホルダー１００の取付け作業が容易となるのみならず、さらに堅固な密着固定状態を保持できるものである。
なお、本変形例では、保護ケース２００の内面部３００ａ側に取付け部材本体１２０の粘着テープ片１７０を設けた面を接着させたが、スマートフォン２００の背面部２００ａ側にこれを接着させてもよい。また取付け部材本体１２０の両面に粘着テープ片１７０を設けてもよい。
【００４９】
（第２の実施形態）
続いて本考案の第２の実施形態について、図を参照して説明する。第１の実施形態と同一部分及び／または同一機能については、同一番号・記号を付して説明する。また、前述の粘着テープ片を設けた変形例については、同一につき説明は省略する。
【００５０】
第２の実施形態に係わる携帯型情報端末機器用ホルダー（以下「ホルダー」と称す）１００は、携帯型情報端末機器たるスマートフォン２００の背面部２００ａ側とスマートフォン用の保護ケース（保護ケース体）３００の内面部３００ａ側に着脱自在となるよう位置させて挟持状態に保持されることにより用いるものである。
【００５１】
ここで、スマートフォン２００には、その下端部２００ｂの中央部位には外部ケーブルを着脱自在に接続するコネクタ部（接続端子部）２２０が設けられている。そして、コネクタ部２２０の両側には、スピーカ音を出力するためのスピーカ出力部（出力部）２４０，２４０が設けられている。
【００５２】
保護ケース３００は、例えば透明または着色された軟性のシリコン素材で形成されており、一面部が開放された中空の長方体形状を呈し、スマートフォン２００の背面部２００ａ全体を密着状態にて被覆するとともに、スマートフォン２００の外縁部全体を密着状態で包み込むようにしてスマートフォン２００に装着されるものである。また、保護ケース３００は、その下端部３００ｂの中央部位に貫通孔部３２０を形成しており、保護ケース３００のスマートフォン２００への装着時、コネクタ部２２０が貫通孔部３２０の内側に位置することになる。そして、貫通孔部３２０の両側には、スピーカ音用貫通孔部３４０，３４０が設けられており、保護ケース３００のスマートフォン２００への装着時、スピーカ出力部２４０，２４０がスピーカ音用貫通孔部３４０，３４０の内側に位置することになる。
【００５３】
ホルダー１００は、例えば角丸四角形状の取付け部材本体１２０、取付け部材本体１２０の一縁部１２０ａの中央部位にて取付け部材本体１２０に対して所定の傾斜角をもって外方へ指向するよう一体形成により延設された延設部１４２及び延設部１４２の他端部１４２ａにて回動自在となるよう設けられたストラップ取付け部１６０とから構成されるものである。ここで、本実施形態では、一体的に形成された取付け部材本体１２０及び延設部１４２として、例えば厚さ０．３ｍｍのＳＵＳ３０４と称される板状のステンレス素材を用いているが、これに限定されることなく、他の種類の金属や合成樹脂を用いてもよい。また、厚さも適宜変更可能なことは勿論である。
なお、本実施形態では延設部１４２を一体形成にて取り付け部材本体１２０に延設しているが、一体形成でなくとも、延設部１４２が取り付け部材本体１２０から外方へ指向するように設けられる態様であればよく、これに限定されることはない。
【００５４】
さて、取付け部材本体１２０は、その大きさはスマートフォン２００や保護ケース３００の横幅の寸法を考慮する必要がある。本実施形態では、長辺（Ｌ）が２０ｍｍ〜９３ｍｍ、短辺（Ｓ）が１０ｍｍ〜２０ｍｍにて形成されている。現行の標準的なスマートフォンの寸法を考慮すると、長辺（Ｌ）を５３ｍｍ、短辺（Ｓ）を１４ｍｍに形成することが好ましいが、これに限定されることはない。
なお、一般にスマートフォン２００に設けられる例えばコネクタ部２２０の横幅（ＣＬ）は、２０ｍｍ超のものは殆ど存在しない。従って、実用的な取扱いを考慮し、取付け部材本体１２０の長辺（Ｌ）は、少なくとも１．５×２０ｍｍ程度はあることが望ましいが、これに限定されることはない。
【００５５】
延設部１４２は、例えば横方向（Ｗ）が５ｍｍ、縦方向（Ｈ）が８ｍｍの矩形状を呈しおり、前述したように取付け部材本体１２０に対し所定の傾斜角をもって外方へ指向するよう形成されている。また、その他端部１４２ａには、中空円柱状のストラップ取付け部用装着部１４２ｂが一体形成されている。
【００５６】
ストラップ取付け部１６０は、例えばＤ型リング形状を呈しており、その断面形状は円形となるようステンレス素材にて形成されている。ここで、ストラップ取付け部１６０断面の直径（Ｄ１）は、ストラップ取付け部用装着部１４２ｂの内径（Ｄ２）より小さくなるよう、即ちＤ１＜Ｄ２となるよう形成されている。これにより、ストラップ取付け部１６０の直線構造を呈す部位１６０ａがストラップ取付け部用装着部１４２ｂの内側にて回動自在に存するよう、ストラップ取付け部１６０はストラップ取付け部用装着部１４２ｂに取付けられる。
なお、ストラップ取付け部１６０の形状は、Ｄ型リング形状に限らず他の形状で良いことは勿論である。また、素材もステンレスに限らず他のものであっても良い。
【００５７】
上記構成につき、その作用を以下に説明する。
【００５８】
ホルダー１００をスマートフォン２００に取付けるには、先ず、延設部１４２をスマートフォン２００の背面部２００ａ側を被覆する保護ケース３００の貫通孔部３２０内に存するよう位置させる。
【００５９】
次に、取付け部材本体１２０の一方の面を保護ケース３００の内面部３００ａ側に載置する。この後、取付け部材本体１２０の他方の面がスマートフォン２００の背面部２００ａに密着するよう、保護ケース３００をスマートフォン２００の外縁部全体を密着状態で包み込むよう装着する。
【００６０】
すると、ホルダー１００は、延設部１４２が貫通孔部３２０を介して外方斜め方向へ指向するとともに、取付け部材本体１２０は保護ケース３００の内面部３００ａとスマートフォン２００の背面部２００ａとで挟持され、密着固定状態にて保持される。而して、ホルダー１００の取付けが完了する。
【００６１】
斯様にして取付けられたホルダー１００は、ストラップ取付け部１６０に好みのストラップ４００は勿論、キーホルダーやアクセサリー或いは提げ紐を付けることができ、スマートフォン２００全体の見栄えや視認性の向上が図れるものである。ここで、取付け部材本体１２０の下端部１２０ａは保護ケース３００の貫通孔部３２０の近傍で支持された状態にあるので、キーホルダー等の重みでホルダー１００がスマートフォン２００及び保護ケース３００から抜け落ちることを防止できる。
【００６２】
また、ストラップ取付け部１６０を支点にスマートフォン２００を吊るすような状態にしたとしても、上述同様、取付け部材本体１２０の下端部１２０ａが保護ケース３００の貫通孔部３２０の近傍で支持された状態にあり、しかも延設部１４２は斜め方向に延設されているので、吊るされることによる重力の影響等でホルダー１００がスマートフォン２００及び保護ケース３００から抜け落ちることを防止できる。
【００６３】
上記実施形態によれば、携帯型情報端末機器の外観構造に影響を及ぼしたり負荷をかけることなく、シンプル且つコンパクトな構造で、しかも丈夫で耐久性にも優れ、誰でも簡単且つ容易に取付けも容易なホルダー１００を提供できるので、実用的で経済的に優れた効果を奏するものである。
【００６４】
また、上記実施形態によれば、スマートフォン２００への取付け後、ストラップ取付け部１６０を種々の目的で利用できるので、使い勝手がよく、ストラップ等取付けに際しての自由度が向上するホルダー１００を提供できるものである。
【００６５】
なお、本実施形態では、延設部１４２がスマートフォン２００の背面部側に向かって外方斜めとなるようにホルダー１００を取り付けたが、延設部１４２が保護カバー３００側に向かって外方斜めとなるようにホルダー１００を取り付けてもよいことはもちろんである。この場合、スマートフォン２００のコネクタ部２２０への電源ケーブル（図示せず）の取り付けをより容易にすることができる。
【００６６】
（第３の実施形態）
続いて本考案の第３の実施形態について、図を参照して説明する。第１の実施形態と同一部分及び／または同一機能については、同一番号・記号を付して説明する。また、前述の粘着テープ片を設けた変形例については、同一につき説明は省略する。
【００６７】
第３の実施形態に係わる携帯型情報端末機器用ホルダー（以下「ホルダー」と称す）１００は、携帯型情報端末機器たるスマートフォン２００の背面部２００ａ側とスマートフォン用の保護ケース（保護ケース体）３００の内面部３００ａ側に着脱自在となるよう位置させて挟持状態に保持されることにより用いるものである。
【００６８】
ここで、スマートフォン２００には、その下端部２００ｂの中央部位に外部ケーブルを着脱自在に接続するコネクタ部（接続端子部）２２０が設けられている。そして、コネクタ部２２０の両側には、スピーカ音を出力するためのスピーカ出力部（出力部）２４０，２４０が設けられている。
【００６９】
保護ケース３００は、例えば透明または着色された軟性のシリコン素材で形成されており、一面部が開放された中空の長方体形状を呈し、スマートフォン２００の背面部２００ａ全体を密着状態にて被覆するとともに、スマートフォン２００の外縁部全体を密着状態で包み込むようにしてスマートフォン２００に装着されるものである。また、保護ケース３００は、その下端部３００ｂの中央部位に貫通孔部３２０を形成しており、保護ケース３００のスマートフォン２００への装着時、コネクタ部２２０が貫通孔部３２０の内側に位置することになる。そして、貫通孔部３２０の両側には、スピーカ音用貫通孔部３４０，３４０が設けられており、保護ケース３００のスマートフォン２００への装着時、スピーカ出力部２４０，２４０がスピーカ音用貫通孔部３４０の内側に位置することになる。
【００７０】
ホルダー１００は、例えば角丸四角形状の取付け部材本体１２０、取付け部材本体１２０の一縁部１２０ａの中央部位にて外方へ指向するよう一体形成により延設された延設部１４０及び延設部１４０に穿設された円形状のストラップ取付け部１６２とから構成されるものである。ここで、本実施形態では、一体的に形成された取付け部材本体１２０及び延設部１４０として、例えば厚さ０．３ｍｍのＳＵＳ３０４と称される板状のステンレス素材が用いているが、これに限定されることなく、他の種類の金属や合成樹脂を用いてもよい。さらに、厚さも適宜変更可能なことは勿論である。また、ストラップ取付け部１６２は円形状に形成されているが、これに限らず他の形状であっても良いことは勿論である。
【００７１】
上記構成につき、その作用を以下に説明する。
【００７２】
ホルダー１００をスマートフォン２００に取付けるには、先ず、延設部１４０をスマートフォン２００の背面部２００ａ側を被覆する保護ケース３００の貫通孔部３２０内に存するよう位置させる。
【００７３】
次に、取付け部材本体１２０の一方の面を保護ケース３００の内面部３００ａ側に載置する。この後、取付け部材本体１２０の他方の面がスマートフォン２００の背面部２００ａに密着するよう、保護ケース３００をスマートフォン２００の外縁部全体を密着状態で包み込むよう装着する。
【００７４】
すると、ホルダー１００は、延設部１４０が貫通孔部３２０を介して外方へ指向するとともに、取付け部材本体１２０は保護ケース３００の内面部３００ａとスマートフォン２００の背面部２００ａとで挟持され、密着固定状態にて保持される。而して、ホルダー１００の取付けが完了する。
【００７５】
斯様にして取付けられたホルダー１００は、ストラップ取付け部１６２に好みのストラップ４００は勿論、キーホルダーやアクセサリー或いは提げ紐を付けることができ、スマートフォン２００全体の見栄えや視認性の向上が図れるものである。ここで、取付け部材本体１２０の下端部１２０ａは保護ケース３００の貫通孔部３２０の近傍で支持された状態にあるので、キーホルダー等の重みでホルダー１００がスマートフォン２００及び保護ケース３００から抜け落ちることを防止できる。
【００７６】
また、ストラップ取付け部１６２を支点にスマートフォン１００を吊るすような状態にしたとしても、上述同様、取付け部材本体１２０の下端部１２０ａが保護ケース３００の貫通孔部３２０の近傍で支持された状態にあるので、吊るされることによる重力の影響等でホルダー１００がスマートフォン２００及び保護ケース３００から抜け落ちることを防止できる。
【００７７】
上記実施形態によれば、携帯型情報端末機器の外観構造に影響を及ぼしたり負荷をかけることなく、シンプル且つコンパクトな構造で、しかも丈夫で耐久性にも優れ、誰でも簡単且つ容易に取付けも容易なホルダー１００を提供できるので、実用的で経済的に優れた効果を奏するものである。
【００７８】
また、上記実施形態によれば、スマートフォン２００への取付け後、ストラップ取付け部１６２を種々の目的で利用できるので、使い勝手がよく、ストラップ等取付けに際しての自由度が向上するホルダー１００を提供できるものである。
【００７９】
なお、本実施形態においても、延設部１４０を取付け部材本体１２０に対し所定の傾斜角をもって外方へ指向するよう形成してもよい。
またこの場合、延設部１４０がスマートフォン２００の背面部側に向かって外方斜めとなるようにホルダー１００を取り付けてもよく、また延設部１４０が保護カバー３００側に向かって外方斜めとなるようにホルダー１００を取り付けてもよい。特に延設部１４０が保護カバー３００側に向かって外方斜めとなるようにホルダー１００を取り付ける場合、スマートフォン２００のコネクタ部２２０への電源ケーブル（図示せず）の取り付けをより容易にすることができる。
【００８０】
上記いずれの実施形態にあっては、貫通孔部３２０を利用すべく延設部１４０，１４２を取付け部材本体１２０の中央部位に形成したが、本考案はこれに限定される訳ではない。他に例えばスピーカ音用貫通孔部３４０の利用を想定した位置に延設部を形成しても良いことは勿論である。
【００８１】
本考案は上記実施形態に限定されるものではなく、本考案の要旨を逸脱しない限り種々の変形が可能なことは勿論である。
【符号の説明】
【００８２】
１００          …ホルダー（携帯型情報端末機器用ホルダー）
１２０          …取付け部材本体
１４０，１４２  …延設部
１６０，１６２  …ストラップ取付け部
１７０          …粘着テープ片
２００          …スマートフォン（携帯型情報端末機器）
２００ａ        …背面部
２２０          …コネクタ部（接続端子部）
２４０          …スピーカ出力部（出力部）
３００          …保護ケース（保護ケース体）
３２０          …貫通孔部
３４０          …スピーカ音用貫通孔部（貫通孔部）
４００          …ストラップ
【図１】
0003229177.tif 000003
【図２】
0003229177.tif 000004
【図３】
0003229177.tif 000005
【図４】
0003229177.tif 000006
【図５】
0003229177.tif 000007
【図６】
0003229177.tif 000008
【図７】
0003229177.tif 000009
【図８】
0003229177.tif 000010
【図９】
0003229177.tif 000011
【図１０】
0003229177.tif 000012
【図１１】
0003229177.tif 000013
【図１２】
0003229177.tif 000014
【図１３】
0003229177.tif 000015
【図１４】
0003229177.tif 000016
【図１５】
0003229177.tif 000017